【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
ユーザの頭部に装着され、表示画像を表示する表示部と、
前記表示部に前記表示画像を表示する制御を行う表示制御部と、
を含み、
前記表示制御部は、
頭部装着型表示装置のロック状態を前記ユーザが解除するために用いるロック解除用画面を前記表示部に表示し、前記ロック解除用画面を用いて、前記頭部装着型表示装置の前記ロック状態が解除された場合には、前記頭部装着型表示装置の前記ロック状態が解除されたことを前記ユーザに通知するロック解除通知画面を前記表示部に表示することを特徴とする頭部装着型表示装置。
【請求項２】
請求項１において、
ユーザ操作情報を取得する操作情報取得部と、
前記ロック解除用画面において入力された前記ユーザ操作情報に基づいて、前記頭部装着型表示装置の前記ロック状態が解除されたか否かを判定する処理部を含むことを特徴とする頭部装着型表示装置。
【請求項３】
請求項２において、
前記表示制御部は、
前記ロック解除用画面として、複数の選択肢画像が配置された画面を前記表示部に表示し、
前記処理部は、
前記ロック解除用画面に配置された前記複数の選択肢画像の中でいずれの選択肢画像が選択されたかを、取得された前記ユーザ操作情報に基づいて特定し、前記ユーザによる前記選択肢画像の選択パターンがロック解除パターンと一致するか否かを判定し、前記選択パターンが前記ロック解除パターンと一致すると判定した場合には、前記ロック状態が解除されたと判定することを特徴とする頭部装着型表示装置。
【請求項４】
請求項３において、
前記表示制御部は、
前記ロック解除用画面として、前記複数の選択肢画像が横一行若しくは縦一列に配置された画面、又は横ｉ行かつ縦ｊ列の二次元配列に従って（ｉ、ｊは正の整数であり、ｉ、ｊのうち少なくとも一方が２以上である）、前記複数の選択肢画像が配置された画面を、前記表示部に表示することを特徴とする頭部装着型表示装置。
【請求項５】
請求項３において、
前記表示制御部は、
前記ロック解除用画面として、前記複数の選択肢画像がランダムな位置に配置された画面を前記表示部に表示することを特徴とする頭部装着型表示装置。
【請求項６】
請求項３乃至５のいずれかにおいて、
前記表示制御部は、
第１の表示タイミングでは、前記ロック解除用画面として第１のロック解除用画面を前記表示部に表示し、
前記第１の表示タイミングと異なる第２の表示タイミングでは、前記複数の選択肢画像の配置位置が前記第１のロック解除用画面と異なる第２のロック解除用画面を前記ロック解除用画面として前記表示部に表示することを特徴とする頭部装着型表示装置。
【請求項７】
請求項３乃至５のいずれかにおいて、
前記表示制御部は、
前記複数の選択肢画像の配置位置が定期的に変更された前記ロック解除用画面を前記表示部に表示することを特徴とする頭部装着型表示装置。
【請求項８】
請求項３乃至７のいずれかにおいて、
前記処理部は、
初期選択タイミングにおいて、前記複数の選択肢画像のうちのいずれかの前記選択肢画像を初期選択状態に設定し、
前記表示制御部は、
少なくとも、初期選択状態に設定された前記選択肢画像が配置された前記ロック解除用画面を前記表示部に表示することを特徴とする頭部装着型表示装置。
【請求項９】
請求項８において、
前記処理部は、
第１の初期選択タイミングでは、第１の選択肢画像〜第Ｎの選択肢画像のうちの第ｋの選択肢画像を初期選択状態に設定し（Ｎは正の整数であり、ｋは１≦ｋ≦Ｎの整数である）、
前記第１の初期選択タイミングと異なる第２の初期選択タイミングでは、前記第１の選択肢画像〜前記第Ｎの選択肢画像のうちの第ｍの選択肢画像を初期選択状態に設定する（ｍは、１≦ｍ≦Ｎかつｋ≠ｍの整数である）ことを特徴とする頭部装着型表示装置。
【請求項１０】
請求項３乃至９のいずれかにおいて、
前記処理部は、
前記ロック解除用画面において、現在、選択状態に設定されている選択肢画像に対して、次に選択状態となる選択肢画像が配置される方向を示す選択方向を、前記ユーザ操作情報に基づいて特定することを特徴とする頭部装着型表示装置。
【請求項１１】
請求項１０において、
前記処理部は、
第１の選択肢画像〜第Ｎの選択肢画像のうちの第ｒの選択肢画像を選択状態に設定している場合に（Ｎは正の整数であり、ｒは１≦ｒ≦Ｎの整数である）、前記操作情報取得部により前記ユーザ操作情報が取得された場合には、
第１の選択タイミングでは、前記選択方向を第１の方向に設定し、前記ロック解除用画面において、前記第ｒの選択肢画像に対して前記第１の方向に配置されている第ｓの選択肢画像を選択状態に設定し（ｓは、１≦ｓ≦Ｎ、ｒ≠ｓの整数である）、
前記第１の選択タイミングと異なる第２の選択タイミングでは、前記選択方向を前記第１の方向と異なる第２の方向に設定し、前記ロック解除用画面において、前記第ｒの選択肢画像に対して前記第２の方向に配置されている第ｔの選択肢画像を選択状態に設定する（ｔは、１≦ｔ≦Ｎ、ｒ≠ｔの整数である）ことを特徴とする頭部装着型表示装置。
【請求項１２】
請求項３乃至１１のいずれかにおいて、
前記操作情報取得部は、
前記ユーザ操作情報としてモーションセンサー信号をモーションセンサーから取得することを特徴とする頭部装着型表示装置。
【請求項１３】
請求項１２において、
前記操作情報取得部は、
前記ユーザの頭部の動きを表す前記モーションセンサー信号を前記モーションセンサーから取得し、
前記処理部は、
前記モーションセンサー信号に基づいて前記ユーザの頭部の動きを特定し、前記ロック解除用画面において、現在、選択状態に設定されている選択肢画像に対して、次に選択状態となる選択肢画像が配置される方向を示す選択方向を、前記ユーザの頭部の動きに基づいて特定することを特徴とする頭部装着型表示装置。
【請求項１４】
請求項３乃至１３のいずれかにおいて、
前記操作情報取得部は、
選択操作を行うための選択操作部と選択の確定操作を行うための選択確定操作部を有するユーザインタフェース部から前記ユーザ操作情報を取得し、
前記処理部は、
前記ユーザ操作情報に基づいて、前記選択操作部が操作されたことが検出された場合には、現在、選択状態に設定されている前記選択肢画像を非選択状態に設定し、他の選択肢画像を選択状態に設定し、
前記ユーザ操作情報に基づいて、前記選択確定操作部が操作されたことが検出された場合には、現在、選択状態に設定されている前記選択肢画像を選択確定することを特徴とする頭部装着型表示装置。
【請求項１５】
請求項２乃至１４のいずれかにおいて、
前記操作情報取得部は、
前記表示画像を表示すると共に、前記ユーザ操作情報を検出するタッチパネルを有する前記頭部装着型表示装置と通信接続された端末装置から、前記ユーザ操作情報を取得することを特徴とする頭部装着型表示装置。
【請求項１６】
請求項１５において、
前記処理部は、
前記ユーザ操作情報に基づいて、前記タッチパネルがフリックされたことを検出した場合には、現在、選択状態に設定されている選択肢画像を非選択状態に設定し、他の選択肢画像を選択状態に設定し、
前記ユーザ操作情報に基づいて、前記タッチパネルがタップされたことを検出した場合には、現在、選択状態に設定されている前記選択肢画像を選択確定にすることを特徴とする頭部装着型表示装置。
【請求項１７】
請求項１５において、
前記処理部は、
前記ユーザ操作情報に基づいて、前記タッチパネルがシングルタップされたことを検出した場合には、現在、選択状態に設定されている選択肢画像を非選択状態に設定し、他の選択肢画像を選択状態に設定し、
前記ユーザ操作情報に基づいて、前記タッチパネルがダブルタップされたことを検出した場合には、現在、選択状態である前記選択肢画像を選択確定にすることを特徴とする頭部装着型表示装置。
【請求項１８】
請求項１乃至１７のいずれかにおいて、
前記表示制御部は、
前記ロック解除用画面として、アイコン画像、文字、数字、記号及び図形のうち少なくともいずれかを組み合わせた複数の選択肢画像画面を前記表示部に表示することを特徴とする頭部装着型表示装置。
【請求項１９】
請求項１において、
前記表示制御部は、
前記ロック解除用画面として、複数の選択肢画像が配置された画面を前記表示部に表示し、
ユーザ操作情報に基づいて特定された前記ユーザによる選択肢画像の選択パターンが、ロック解除パターンと一致すると判定された場合には、前記ロック解除通知画面を前記表示部に表示することを特徴とする頭部装着型表示装置。
【請求項２０】
請求項１９において、
前記表示制御部は、
第１の表示タイミングでは、前記ロック解除用画面として第１のロック解除用画面を前記表示部に表示し、
前記第１の表示タイミングと異なる第２の表示タイミングでは、前記複数の選択肢画像の配置位置が前記第１のロック解除用画面と異なる第２のロック解除用画面を前記ロック解除用画面として前記表示部に表示することを特徴とする頭部装着型表示装置。
【請求項２１】
請求項１９又は２０において、
前記表示制御部は、
初期選択タイミングにおいて前記複数の選択肢画像の中で初期選択状態に設定された前記選択肢画像が配置された前記ロック解除用画面を、前記表示部に表示することを特徴とする頭部装着型表示装置。
【請求項２２】
請求項２１において、
前記表示制御部は、
第１の初期選択タイミングにおいて第１の選択肢画像〜第Ｎの選択肢画像のうちの第ｋの選択肢画像が初期選択状態に設定された前記ロック解除用画面を（Ｎは正の整数であり、ｋは１≦ｋ≦Ｎの整数である）、前記表示部に表示し、
前記第１の初期選択タイミングと異なる第２の初期選択タイミングにおいて前記第１の選択肢画像〜前記第Ｎの選択肢画像のうちの第ｍの選択肢画像が初期選択状態に設定された前記ロック解除用画面を（ｍは、１≦ｍ≦Ｎかつｋ≠ｍの整数である）、前記表示部に表示することを特徴とする頭部装着型表示装置。
【請求項２３】
請求項１９乃至２２のいずれかにおいて、
前記ユーザ操作情報を取得する操作情報取得部を含み、
前記表示制御部は、
第１の選択肢画像〜第Ｎの選択肢画像のうちの第ｒの選択肢画像が選択状態に設定されている場合に（Ｎは正の整数であり、ｒは１≦ｒ≦Ｎの整数である）、前記ユーザ操作情報が取得された場合には、
第１の選択タイミングでは、前記第ｒの選択肢画像に対して第１の方向に配置されている第ｓの選択肢画像が選択状態に設定された前記ロック解除用画面を（ｓは、１≦ｓ≦Ｎ、ｒ≠ｓの整数である）、前記表示部に表示し、
前記第１の選択タイミングと異なる第２の選択タイミングでは、前記第ｒの選択肢画像に対して前記第１の方向と異なる前記第２の方向に配置されている第ｔの選択肢画像が選択状態に設定された前記ロック解除用画面を（ｔは、１≦ｔ≦Ｎ、ｒ≠ｔの整数である）、前記表示部に表示することを特徴とする頭部装着型表示装置。
【請求項２４】
請求項１９乃至２３のいずれかにおいて、
前記ユーザ操作情報としてモーションセンサー信号をモーションセンサーから取得する操作情報取得部を含むことを特徴とする頭部装着型表示装置。
【請求項２５】
請求項１９乃至２４のいずれかにおいて、
選択操作を行うための選択操作部と選択の確定操作を行うための選択確定操作部を有するユーザインタフェース部から前記ユーザ操作情報を取得する操作情報取得部を含み、
前記表示制御部は、
前記ユーザ操作情報に基づいて、前記選択操作部が操作されたことを検出された場合には、現在、選択状態に設定されている前記選択肢画像が非選択状態に設定され、他の選択肢画像が選択状態に設定された前記ロック解除用画面を、前記表示部に表示し、
前記ユーザ操作情報に基づいて、前記選択確定操作部が操作されたことを検出された場合には、現在、前記選択状態に設定されている前記選択肢画像が選択確定された前記ロック解除用画面を、前記表示部に表示することを特徴とする頭部装着型表示装置。
【請求項２６】
頭部装着型表示装置と、
前記頭部装着型表示装置と通信接続された端末装置と、
を含むロック解除処理システムであって、
前記頭部装着型表示装置は、
第１の表示画像を表示する第１の表示部と、
前記第１の表示部に前記第１の表示画像を表示する制御を行う第１の表示制御部と、
を有し、
前記端末装置は、
第２の表示画像を表示する第２の表示部と、
前記第２の表示部に前記第２の表示画像を表示する制御を行う第２の表示制御部と、
を有し、
前記頭部装着型表示装置又は前記端末装置は、
ロック解除の判定処理を行う処理部と、
ユーザ操作情報を取得する操作情報取得部と、
を有し、
前記第１の表示制御部は、
前記頭部装着型表示装置のロック解除用画面を前記第１の表示部に表示し、
前記処理部は、
前記ロック解除用画面において入力された前記ユーザ操作情報に基づいて、前記頭部装着型表示装置のロック状態が解除されたか否かを判定し、
前記第１の表示制御部は、
前記頭部装着型表示装置の前記ロック状態が解除されたと判定された場合には、前記頭部装着型表示装置のロック解除通知画面を前記第１の表示部に表示することを特徴とするロック解除処理システム。
【請求項２７】
請求項２６において、
前記第１の表示制御部は、
ロック解除処理中においては、前記第１の表示部に前記ロック解除用画面を表示し、
前記第２の表示制御部は、
前記ロック解除処理中においては、前記第２の表示部を非表示状態に設定し、前記ロック状態が解除されたと前記処理部により判定された場合には、前記第２の表示部を表示状態に設定することを特徴とするロック解除処理システム。
【請求項２８】
表示画像を表示する表示部と、
前記表示部に表示画像を表示する制御を行う表示制御部として、
コンピューターを機能させ、
前記表示制御部は、
頭部装着型表示装置のロック状態をユーザが解除するために用いるロック解除用画面を前記表示部に表示し、前記ロック解除用画面を用いて、前記頭部装着型表示装置の前記ロック状態が解除された場合には、前記頭部装着型表示装置の前記ロック状態が解除されたことを前記ユーザに通知するロック解除通知画面を前記表示部に表示することを特徴とするプログラム。
【請求項２９】
第１の表示画像を表示する第１の表示部と、
前記第１の表示部に前記第１の表示画像を表示する制御を行う第１の表示制御部と、
第２の表示画像を表示する第２の表示部と、
前記第２の表示部に前記第２の表示画像を表示する制御を行う第２の表示制御部と、
ロック解除の判定処理を行う処理部と、
ユーザ操作情報を取得する操作情報取得部として、
コンピューターを機能させ、
前記第１の表示制御部は、
頭部装着型表示装置のロック解除用画面を前記第１の表示部に表示し、
前記処理部は、
前記ロック解除用画面において入力された前記ユーザ操作情報に基づいて、前記頭部装着型表示装置のロック状態が解除されたか否かを判定し、
前記第１の表示制御部は、
前記頭部装着型表示装置の前記ロック状態が解除されたと判定された場合には、前記頭部装着型表示装置のロック解除通知画面を前記第１の表示部に表示することを特徴とするプログラム。
【請求項３０】
頭部装着型表示装置と前記頭部装着型表示装置に通信接続された端末装置とを有するロック解除処理システムの制御方法であって、
前記頭部装着型表示装置のロック解除用画面を、前記頭部装着型表示装置の第１の表示部に表示する制御を行い、
前記端末装置の第２の表示部の表示制御を行い、
ユーザ操作情報を取得し、
取得された前記ユーザ操作情報に基づいて、前記頭部装着型表示装置のロック状態が解除されたか否かを判定し、
前記頭部装着型表示装置の前記ロック状態が解除されたと判定された場合には、前記頭部装着型表示装置のロック解除通知画面を前記第１の表示部に表示することを特徴とするロック解除処理システムの制御方法。
【手続補正２】
【補正対象書類名】明細書
【補正対象項目名】０１５７
【補正方法】変更
【補正の内容】
【０１５７】
また、図７（Ｃ）は、横２行かつ縦４列の二次元配列に従って、複数の選択肢画像が配置されているロック解除用画面の例である。